(57)【要約】【課題】表示板間に一定の間隔を保持しつつ表示体枠の見込み寸法を小さくできる表示体を提供する。【解決手段】本発明の表示体１において、２枚の各表示板７は、外周側端部同士の間隔が中央部７ａ同士の間隔Ｗよりも狭くなるように屈曲して外周側に延出する延出部７ｂを有すると共に延出部７ｂを導光板保持枠１１の見付け面１１ａに重ねてあり、導光板保持枠１１は、見込み寸法Ｍが表示板７の中央部７ａ同士の間隔Ｗよりも小さく、内周面に導光板保持溝１７を有し、上下左右の少なくとも一つの導光板保持溝１７には導光板９の端面に対向する発光体１５を設けてあり、表示体枠１３は、見込み寸法Ｎが表示板７の中央部７ａ同士の間隔よりも小さく、内周面に設けた溝２３内に導光板保持枠１１と表示板７の延出部７ｂとを保持している。【選択図】図１
2010049142.tif 000002
【特許請求の範囲】
【請求項１】
互いに間隔をあけて対向配置した２枚の表示板と、表示板間に配置した導光板と、導光板の四周を保持する導光板保持枠と、導光板保持枠の外周側に設けた表示体枠とを備え、表示板は、外周側端部同士の間隔が中央部同士の間隔よりも狭くなるように屈曲して外周側に延出する延出部を有すると共に延出部を導光板保持枠の見付け面に重ねてあり、導光板保持枠は、見込み寸法が表示板の中央部同士の間隔よりも小さく、内周面に導光板保持溝を有し、上下左右の少なくとも一つの導光板保持溝には導光板の端面に対向する発光体を設けてあり、表示体枠は、見込み寸法が表示板の中央部同士の間隔よりも小さく、内周面に設けた溝内に導光板保持枠と表示板の延出部とを保持していることを特徴とする表示体。
【請求項２】
取付部材を備え、取付部材は、見込み寸法が表示板の中央部同士の間隔と略同じ寸法であり、見込み面に取付溝を有し、表示体枠の上下左右の少なくとも一側を取付部材の取付溝に保持してあることを特徴とする請求項１に記載の表示体。
【発明の詳細な説明】
【技術分野】
【０００１】
本発明は、看板等の表示体に関する。
【背景技術】
【０００２】
特許文献１には、互いに間隔をあけて配置した２枚の表示板間に発光体を配置し、発光体保持枠には見込み方向の延出部を設けて、各表示板の外周端部を発光体保持枠の見込み方向延出部に重ねて配置し、表示体枠で固定することが開示されている。一方、２枚の表示板間に導光板を配置し、導光板の端面に発光素子を設けて、導光板から表示板に光を照射する表示体が公知である。
【０００３】
【特許文献１】特開２００５−２９２５４１号公報
【発明の開示】
【発明が解決しようとする課題】
【０００４】
導光板を用いた公知技術においては、表示体枠の見込み寸法を小さくしたいという要求がある。しかし、表示板間の間隔に一定の寸法がないと一方の表示板から他方の表示板が透けて見えてしまうため、表示板間には一定の距離が必要になると共に特許文献１の技術では、発光体保持枠（導光板保持枠）に見込み方向延出部を設けて、これに表示板の外周端部を重ねて保持しているので、表示体枠の見込み寸法を小さくするのに限界があった。
【課題を解決するための手段】
【０００５】
そこで、本発明は、表示板間に一定の間隔を保持しつつ表示体枠の見込み寸法を小さくできる表示体の提供を目的とする。
【０００６】
請求項１に記載の発明は、互いに間隔をあけて対向配置した２枚の表示板と、表示板間に配置した導光板と、導光板の四周を保持する導光板保持枠と、導光板保持枠の外周側に設けた表示体枠とを備え、表示板は、外周側端部同士の間隔が中央部同士の間隔よりも狭くなるように屈曲して外周側に延出する延出部を有すると共に延出部を導光板保持枠の見付け面に重ねてあり、導光板保持枠は、見込み寸法が表示板の中央部同士の間隔よりも小さく、内周面に導光板保持溝を有し、上下左右の少なくとも一つの導光板保持溝には導光板の端面に対向する発光体を設けてあり、表示体枠は、見込み寸法が表示板の中央部同士の間隔よりも小さく、内周面に設けた溝内に導光板保持枠と表示板の延出部とを保持していることを特徴とする。
【０００７】
請求項２に記載の発明は、請求項１に記載の発明において、取付部材を備え、取付部材は、見込み寸法が表示板の中央部同士の間隔と略同じ寸法であり、見込み面に取付溝を有し、表示体枠の上下左右の少なくとも一側を取付部材の取付溝に保持してあることを特徴とする。
【発明の効果】
【０００８】
請求項１に記載の発明によれば、２枚の表示板は外周端部が中央部同士の間隔よりも狭くなるように屈曲して外周側に延出した延出部を設けて、延出部を導光板保持枠の見付け面に重ねていると共に表示体枠の溝内に保持しているので、表示板の中央部同士では表示板間に一定の間隔を保持しつ、表示体枠の見込み寸法を小さくできる。即ち、見込み寸法が表示板の中央部同士の間隔よりも小さい導光板保持枠の見付け面に表示板の延出部を重ねて表示体枠の溝内に保持しているので、従来技術のように導光板保持枠に見込み方向延出部を設けて表示板の外周端部を重ねて保持する場合に比較して表示体枠の見込み寸法を小さくできる。
【０００９】
請求項２に記載の発明によれば、請求項１に記載の発明と同様な効果を奏すると共に、取付部材は見込み寸法が表示板間の中央部の間隔と略同じ寸法としてあるので、側面から見たときに表示板が取付部材よりも大きく食み出さないので、全体としてスリムで外観が良い。
取付部材の見込み面に設けた長手方向溝に表示体枠を挿入して取付けているので、見付け寸法を小さくできる。
【発明を実施するための最良の形態】
【００１０】
以下に、添付図面を参照して本発明の実施の形態を説明する。図１は図３に示すＡ―Ａ断面図であり、図２は図３に示すＢ―Ｂ断面図であり、図３は本実施の形態に係る表示体の図であり、（ａ）は正面図であり、（ｂ）は側面図である。
本実施の形態に係る表示体１は、看板であり、図３に示すように、支柱（取付部材）３、３と、支柱３、３間に取付けた表示部５とから構成されている。
図１及び図２に示すように、表示部５は、互いに間隔をあけて対向配置した２枚の表示板７、７と、表示板７、７間に配置した導光板９と、導光板保持枠１１と、表示体枠１３と、発光体１５とを備えている。
表示板７は、アクリル成形板であり、表面に所定の表示やデザインが施された透明樹脂シートを貼付して表示するようになっている。
図１に示すように、２枚の表示板７、７において、中央部７ａ、７ａは所定間隔Ｗをあけて略平行に設けてあり、外周端部が中央部７ａよりも間隔が狭くなるように屈曲して外周側に延出した延出部７ｂ、７ｂを設けてあり、延出部７ｂ、７ｂ間の間隔Ｍは、中央部７ａ、７ａの間隔Ｗの半分より小さい間隔としている。
各表示板７の延出部７ｂは、導光板保持枠１１の見付け面１１ａに重ねて、導光板保持枠１１を挟むようにして配置されている。
導光板９は、両面発光するものであり、端面に対向配置した発光体１５から光を導入して、各表示板７、７の裏面に向けて光を照射している。
導光板保持枠１１は、内周面に導光板保持溝１７を有し、導光板９の四周を導光板保持溝１７に収納して保持している。
導光板保持枠１１の左右の竪枠１１ｂには、導光板９の端面９ａと対向する位置に発光体１５が収納されている。発光体１５はＬＥＤであり、ＬＥＤ基板１９と共に収納されている。
図２に示すように、導光板保持枠１１の上横枠１１ｃと下横枠１１ｄとには、発光体１５はなく、上横枠１１ｃの発光体収納空間はそのまま空間になっており、下横枠１１ｃに形成されている発光体収納空間にはスペーサ２１が配置されている。
図１に示すように、表示体枠１３は、見込み寸法Ｎが表示板の中央部７ａ、７ａの間隔Ｗよりも小さく、内周面に設けた溝２３内に導光板保持枠１７と表示板７の延出部７ｂとを保持している。
図２及び図３に示すように、表示体枠１３の上横枠１３ｂの上面には天板２５が取付けてある。この天板２５は支柱３、３間に亘る見付け寸法を有し且つ支柱３、３の上端及び表示部取付溝２７を覆う寸法としてあり、天板２５を支柱３、３の上端に載置して、各支柱３、３の上端にアイボルト２９で止めてある。
図１及び図３に示すように、支柱３、３は、互いに対向して位置する見込み面に長手方向の表示部取付溝２７が設けてあり、表示部取付溝２７に表示体枠１３の左右の竪枠１３ａを上から通し込んである。
支柱３は、見込み寸法Ｆが表示板の中央部７ａ、７ａの間隔Ｗと略同じとしてある。
【００１１】
次に、本実施の形態に係る表示体１の施工、作用及び効果について説明する。表示体１において、表示部５を支柱３、３間に取付けるときには、支柱３、３の対向する表示部取付溝２７に表示体枠１３の左右の竪枠１３ａを上方から通し込んで表示体５を下方にスライドしたところで、天板２５を支柱３、３に載置して、天板２５をアイボルト２９で支柱３、３の上端に固定する。
本実施の形態によれば、表示部５において、２枚の表示板７、７は各々延出部７ｂを中央部７ａよりも間隔が狭くなるように屈曲して外周側に延出しているので、中央部７ａでは表示板７と導光板９との間に一定の間隔Ｗを保持しつ、延出部７ｂ、７ｂの間隔を狭めることができる。更に、延出部７ｂ、７ｂは、導光板保持枠１１の見付け面１１ａに重ねて、表示体枠１３の溝内に保持しているので、従来技術のように導光板保持枠に設けた見込み方向延出部に外周端部を重ねて保持する場合に比較して、表示体枠１３の見込み寸法を小さくできる。
支柱３、３は見込み寸法Ｆが表示板の中央部７ａ、７ａ間の間隔Ｗと略同じ寸法としてあるので、側面から見たときに表示部５が支柱３、３よりも大きく食み出さないので、全体としてスリムで外観が良い。
支柱３、３の見込み面に設けた表示部取付溝２７に表示体枠１３を挿入して取付けているので、表示体１の見付け寸法を小さくできる。
表示部５は支柱３、３の表示部取付溝２７に上から挿入して天板２５を支柱３、３の上端に載置して取付けているので、表示部５の脱着が容易にできる。
天板２５は、支柱３、３の上端及び表示部取付溝２７を覆うので、別にキャップを設けなくても支柱３、３の上端及び表示部取付溝２７に雨水が浸入するのを防止できる。
【００１２】
本発明は、上述した実施の形態に限らず、本発明の要旨を逸脱しない範囲で種々変形可能である。
例えば、表示部５は２本の支柱３、３間に取付けることに限らず、１本の支柱３の表示部取付溝２７に表示部５の左右一方の竪枠１３ａを挿入して、ボルト等で固定するものであっても良い。
取付部材３は支柱に限らず水平に延出する水平部材として、水平部材に設けた長手方向の表示部取付溝に表示部５の上枠又は下枠を取付けるものであっても良いし、上下に水平部材を設けて上下の水平部材の対向面に表示部取付溝２７、２７を設けて、上下の水平部材間に表示部５を取付けるものであっても良い。
導光板保持枠１１には、その左右竪枠１１ｂ、１１ｂに発光体１５を配置することに限らず、何れか一方の竪枠１１ｂに配置しても良いし、上下の横枠１１ｃ、１１ｄに配置するものであっても良いし、或いは四周全体に配置するものであっても良い。
表示体１は、店舗内に設けた商品広告用の表示体等であってもよい。
【図面の簡単な説明】
【００１３】
【図１】図３に示すＡ―Ａ断面図である。
【図２】図３に示すＢ―Ｂ断面図である。
【図３】本実施の形態に係る表示体の図であり、（ａ）は正面図であり、（ｂ）は側面図である。
【符号の説明】
【００１４】
１      表示体
３      支柱（取付部材）
７      表示板
７ａ    中央部
７ｂ    延出部
９      導光板
１１    導光板保持枠
１１ａ  見付け面
１３    表示体枠
１５    発光体
１７    導光板保持溝
２３    溝（表示体枠の溝）
２７    取付溝
【図１】
2010049142.tif 000003
【図２】
2010049142.tif 000004
【図３】
2010049142.tif 000005